(57)【要約】【課題】  脱落を防止しつつ、ナプキンに吸収面を複数設けて複数回使用可能にするとともに、洗濯することにより繰り返し使用可能にし、また、体液や悪臭の洩れ出しを防止して清潔度を維持できるようにする。【解決手段】  所要の長さの横幅Ｌａ及び縦幅Ｌｂを有する矩形状のナプキン１を、ショーツ３０の股下部３４の内側に装着してなるもので、ナプキン１を、布で形成され所要の長さの横幅Ｌａ及び縦幅Ｌｂの矩形状に折畳まれる本体２と、折畳まれる本体２の布間に介装され非通液性のパッド２０とを備えて構成し、ショーツ３０の股下部３４に、ナプキン１を着脱可能に係止する係止部３５を設けた。【選択図】  図１
2008048764.tif 000002
【特許請求の範囲】
【請求項１】
所要の長さの横幅及び縦幅を有する矩形状のナプキンを、ショーツの股下部の内側に装着してなる生理用品において、
上記ナプキンを、布で形成され上記所要の長さの横幅及び縦幅の矩形状に折畳まれる本体と、該折畳まれる本体の布間に介装され非通液性のパッドとを備えて構成し、
上記ショーツの股下部に、上記ナプキンを着脱可能に係止する係止部を設けたことを特徴とする生理用品。
【請求項２】
上記ナプキンの本体を矩形状に形成し、該本体の折畳まれる折線として、上記横幅に対応したピッチで１若しくは２以上設けられる縦折線と、上記縦幅に対応したピッチで１若しくは２以上設けられ上記縦折線に直交する横折線とを備え、該本体に、上記矩形の布の外側線の一部，縦折線及び横折線により区画され、若しくは、上記縦折線及び横折線により区画され、人体に接して体液を吸収可能な複数の吸収面を形成し、該本体を折畳の仕方により上記複数の吸収面の何れか１つの吸収面を人体に接するように露出させて装着可能にしたことを特徴とする請求項１記載の生理用品。
【請求項３】
上記ナプキンの本体に、上記折線に沿う視認可能な目印を設けたことを特徴とする請求項２記載の生理用品。
【請求項４】
上記ナプキンの折畳まれた本体の端部を連結する連結手段を設けたことを特徴とする請求項２または３記載の生理用品。
【請求項５】
上記連結手段を、上記折畳まれた本体の一端部側に設けられるオス部と、該本体の他端部側に設けられるメス部とを備えたホックで構成したことを特徴とする請求項４記載の生理用品。
【請求項６】
上記ナプキンのパッドを、樹脂製シートと、該樹脂製シートの両側に付設された吸収部材とから構成したことを特徴とする請求項１乃至５何れかに記載の生理用品。
【請求項７】
上記ナプキンのパッドを、一方側面に粘着剤が付された樹脂製シート及び該樹脂製シートの他方側面に吸収部材が付設された汎用ナプキンを一対用い、該一対の汎用ナプキンの一方側面同士を粘着剤を介して接着させて構成したことを特徴とする請求項６記載の生理用品。
【請求項８】
上記パッドを複数枚用いることを特徴とする請求項６または７記載の生理用品。
【請求項９】
上記パッド同士を索体で連結したことを特徴とする請求項８記載の生理用品。
【請求項１０】
上記ショーツの係止部を、上記ナプキンの折畳まれた本体の両端部を夫々係止可能になるよう、上記ショーツの股下部の長手方向前後に離間させて一対設けたことを特徴とする請求項１乃至９何れかに記載の生理用品。
【請求項１１】
上記係止部を、上記ショーツの股下部の長手方向に直交する方向に沿って延在するように両端がショーツに縫合され上記ナプキンの端部を掛けることが可能な紐部材で構成したことを特徴とする請求項１０記載の生理用品。
【請求項１２】
上記各係止部において、紐部材を平行に少なくとも２本設けたことを特徴とする請求項１１記載の生理用品。
【請求項１３】
上記紐部材を、ゴム紐で構成したことを特徴とする請求項１１または１２記載の生理用品。
【請求項１４】
上記ショーツの股下部に、上記装着されるナプキンを覆う覆部を付設し、該覆部を、非通液性のパッドと、該パッドを収納する袋状の収納部とを備えて構成したことを特徴とする請求項１乃至１３何れかに記載の生理用品。
【請求項１５】
上記覆部のパッドを、樹脂製シートと、該樹脂製シートの両側に付設された吸収部材とから構成したことを特徴とする請求項１４記載の生理用品。
【請求項１６】
上記覆部のパッドを、一方側面に粘着剤が付された樹脂製シート及び該樹脂製シートの他方側面に吸収部材が付設された汎用ナプキンを一対用い、該一対の汎用ナプキンの一方側面同士を粘着剤を介して接着させて構成したことを特徴とする請求項１５記載の生理用品。
【発明の詳細な説明】
【技術分野】
【０００１】
本発明は、ナプキンをショーツの股下部の内側に装着してなる生理用品に関する。
【背景技術】
【０００２】
従来、この種の生理用品としては、例えば、特許文献１（実開昭４９−８８５９９号公報）に記載されたものが知られている。
この生理用品は、図１０に示すように、矩形状のナプキン１００を、ショーツ１０１の股下部１０２の内側に装着してなるものである。ショーツ１０１の股下部１０２の長手方向前後に、ナプキン１００の両端部を夫々押える紐部材１０３，１０３が設けられており、また、ナプキン１００の一端には、工業用ファスナ１０４の一方の構成片が設けられている一方、ショーツ１０１の一方の紐部材１０３側には、工業用ファスナ１０４の他方の構成片が設けられている。
【０００３】
そして、ナプキン１００をショーツ１０１に装着するときは、ナプキン１００を紐部材１０３，１０３に掛け渡し、ナプキン１００の両端部をそれぞれ紐部材１０３，１０３で押えるとともに、工業用ファスナ１０４の一方の構成片と他方の構成片とを係合させる。そして、ショーツ１０１にナプキン１００を一体にして着用する。この際、ナプキン１００は紐部材１０３及び工業用ファスナ１０４でショーツ１０１に保持されるので、ショーツ１０１からナプキン１００が容易にズレて脱落しにくくなっている。
【０００４】
また、脱落を防止するようにしたナプキンとしては、図示しないが、例えば、特許文献２（特開平７−２０４２２５号公報）に記載され、一方側面に粘着剤が付された樹脂製シート及び該樹脂製シートの他方側面に吸収部材が付設された汎用ナプキンが知られている。
このナプキンをショーツに装着するときは、ナプキンをその粘着剤側をショーツの股下部側に位置させて貼着する。そして、ショーツにナプキンを一体にして着用する。この際、ナプキンは粘着剤によりショーツに保持されるので、ショーツからナプキンが容易にズレて脱落しにくくなっている。
【０００５】
【特許文献１】実開昭４９−８８５９９号公報
【特許文献２】特開平７−２０４２２５号公報
【発明の開示】
【発明が解決しようとする課題】
【０００６】
ところで、上記の従来の生理用品においては、ナプキンをショーツから脱落しにくく保持しているが、吸収部分が１つであって使い捨てのものなので、１回使用すると逐一交換しなければならず、それだけ、無駄が多くなっているという問題があった。特に、災害時などでの非常時においては、ナプキンの供給が不十分になることがあり、その場合には対応に苦慮する。
【０００７】
本発明は上記の問題点に鑑みて為されたもので、脱落を防止しつつ、ナプキンに吸収面を複数設けて複数回使用可能にするとともに、洗濯することにより繰り返し使用可能な生理用品を提供することを目的とする。また、必要に応じ、体液や悪臭の洩れ出しを防止して清潔度を維持し、また通気性、発汗性が良好で、肌触りも良く、簡単かつ確実に着脱でき、取り扱いも容易な生理用品を提供することを目的とする。
【課題を解決するための手段】
【０００８】
このような目的を達成するため本発明の生理用品は、所要の長さの横幅及び縦幅を有する矩形状のナプキンを、ショーツの股下部の内側に装着してなる生理用品において、上記ナプキンを、布で形成され上記所要の長さの横幅及び縦幅の矩形状に折畳まれる本体と、該折畳まれる本体の布間に介装され非通液性のパッドとを備えて構成し、上記ショーツの股下部に、上記ナプキンを着脱可能に係止する係止部を設けた構成としている。
【０００９】
これにより、この生理用品を使用するときは、ナプキンの本体を広げ、この本体を折畳んで所定の矩形状に形成するとともに、本体の布間に非通液性のパッドを介装する。そして、この状態で、ナプキンをショーツの係止部に係止する。この場合、ナプキンを折畳んで、係止部に係止するだけでショーツに装着できるので、装着が簡易であり、取り扱いも容易になる。
【００１０】
そして、この状態で、ショーツを着用する。この場合、ナプキンはショーツの係止部に係止されているので、被着者が歩行したり、就寝中に動いても、ナプキンが容易にずれて脱落することが防止され、装着性が良好に保持される。
この状態では、ナプキンには経血や尿等の体液が人体に接した吸収面に吸収されていく。この場合、ナプキンの本体は布で構成されているので、通気性、発汗性が良好で、肌触りも良く、装着感が快適になる。
また、ナプキンには、非通液性のパッドが介装されているので、体液は人体側に位置したパッドよりも人体側に位置する布にのみ吸収されて他への浸出が抑制される。そのため、吸収性が良好になり、パッドによる漏れ出しが抑制されていることから、体液や悪臭の洩れ出しが抑制され、汚れがない清潔度が維持され、爽快に使用することができるようになる。
【００１１】
次に、ある程度ナプキンによる吸収が行なわれたならば、ナプキンをショーツから外す。この場合、係止部からナプキンを外すだけで良いので、取外しが容易に行われる、そして、例えば、折畳まれた状態のナプキンを裏返し、あるいは、折畳み直して、体液の吸収していない布を人体側に露出させてショーツに装着し、再び、このショーツを着用する。この場合も、上記と同様に、被着者が歩行したり、就寝中に動いても、ナプキンが容易にずれて脱落することが防止され、装着性が良好に保持される。また、吸収性も良好であり、パッドによる漏れ出しが抑制されていることから、体液や悪臭の洩れ出しが抑制され、汚れがない清潔度が維持され、爽快に使用することができるようになる。
【００１２】
このように、１つのナプキンで、新たな布を人体側に複数回露出させて使用する。そして、複数回使用したならば、新たなナプキンを用いる。必要に応じて、パッドも変えると良い。ナプキンの本体は、布製なので、洗濯により再度使用が可能になる。そのため、無駄が防止され、省力化が図られる。特に、災害時などでの非常時においては、市販のナプキンの供給が不十分になることがあるが、本実施の形態に係る生理用品においては、対応が容易になり極めて便利になる。
【００１３】
そして、必要に応じ、上記ナプキンの本体を矩形状に形成し、該本体の折畳まれる折線として、上記横幅に対応したピッチで１若しくは２以上設けられる縦折線と、上記縦幅に対応したピッチで１若しくは２以上設けられ上記縦折線に直交する横折線とを備え、該本体に、上記矩形の布の外側線の一部，縦折線及び横折線により区画され、若しくは、上記縦折線及び横折線により区画され、人体に接して体液を吸収可能な複数の吸収面を形成し、該本体を折畳の仕方により上記複数の吸収面の何れか１つの吸収面を人体に接するように露出させて装着可能にした構成としている。吸収面の区画が明瞭になり、新たな吸収面を使用する際に、新たな吸収面を露出させ易くすることができる。
【００１４】
また、必要に応じ、上記ナプキンの本体に、上記折線に沿う視認可能な目印を設けた構成としている。折線には目印が付されているので、折り畳みが容易になる。
【００１５】
更に、必要に応じ、上記ナプキンの折畳まれた本体の端部を連結する連結手段を設けた構成としている。ナプキンの端部の連結により、ショーツへの係止をより確実にすることができ、ナプキンが容易にずれて脱落することが確実に防止され、装着性が良好に保持される。
この場合、上記連結手段を、上記折畳まれた本体の一端部側に設けられるオス部と、該本体の他端部側に設けられるメス部とを備えたホックで構成したことが有効である。簡易な機構で連結を行なうことができ操作性も良くなる。
【００１６】
更にまた、必要に応じ、上記ナプキンのパッドを、樹脂製シートと、該樹脂製シートの両側に付設された吸収部材とから構成している。体液はパッドの樹脂製シートにより浸出が阻止され、そのため、このパッドよりも人体側に位置する布にのみ吸収されて他への浸出が抑制されるが、パッドには、吸収部材が設けられているので、布で吸収しきれなかった体液はこの吸収部材でも吸収され、この点でも、他への浸出が抑制される。
【００１７】
また、必要に応じ、上記ナプキンのパッドを、一方側面に粘着剤が付された樹脂製シート及び該樹脂製シートの他方側面に吸収部材が付設された汎用ナプキンを一対用い、該一対の汎用ナプキンの一方側面同士を粘着剤を介して接着させて構成している。市販品を利用できるので、汎用性を増すことができる。
【００１８】
この場合、上記パッドを複数枚用いることが有効である。パッドよりも人体側に位置する新たな吸収面を形成する際、パッドが複数あるので、人体に接して体液を吸収可能な新たな吸収面をより多く形成できるようになる。
また、この場合、上記パッド同士を索体で連結した構成にしたことが有効である。ばらばらにならないので、取り扱いが容易になる。
【００１９】
そしてまた、必要に応じ、上記ショーツの係止部を、上記ナプキンの折畳まれた本体の両端部を夫々係止可能になるよう、上記ショーツの股下部の長手方向前後に離間させて一対設けた構成としている。ナプキンの両端を係止するので、保持が確実になる。
【００２０】
この場合、上記係止部を、上記ショーツの股下部の長手方向に直交する方向に沿って延在するように両端がショーツに縫合され上記ナプキンの端部を掛けることが可能な紐部材で構成したことが有効である。簡易な構造で、係止することができる。
また、この場合、上記各係止部において、紐部材を平行に少なくとも２本設けたことが有効である。一方の紐部材に端部を掛け、他方の紐部材により端部をショーツ側に押えるように装着することができ、それだけ、ナプキンの保持を確実にすることができる。
更に、上記紐部材を、ゴム紐で構成したことが有効である。紐部材はゴム紐なので、その弾性により、ナプキンを確実にショーツ側に押えることができ、より一層保持が確実になる。
【００２１】
また、必要に応じ、上記ショーツの股下部に、上記装着されるナプキンを覆う覆部を付設し、該覆部を、非通液性のパッドと、該パッドを収納する袋状の収納部とを備えて構成している。仮にナプキンから体液が漏れ出るようなことがあっても、ナプキンはショーツの覆部で覆われているので、覆部のパッドでも外部への浸出が防止される。
【００２２】
この場合、上記覆部のパッドを、樹脂製シートと、該樹脂製シートの両側に付設された吸収部材とから構成したことが有効である。パッドには、吸収部材が設けられているので、漏れ出ようとした体液はこの吸収部材でも吸収され、この点でも、他への浸出が確実に抑制される。そのため、二重，三重に漏れ出しが抑制されていることから、体液や悪臭の洩れ出しが確実に抑制され、汚れがない清潔度が維持され、爽快に使用することができるようになる。
【００２３】
また、この場合、上記覆部のパッドを、一方側面に粘着剤が付された樹脂製シート及び該樹脂製シートの他方側面に吸収部材が付設された汎用ナプキンを一対用い、該一対の汎用ナプキンの一方側面同士を粘着剤を介して接着させて構成している。市販品を利用できるので、汎用性を増すことができる。
【発明の効果】
【００２４】
本発明の生理用品によれば、ナプキンを折畳んで、係止部に係止するだけでショーツに装着できるので、装着が簡易であり、取り扱いも容易になる。また、ナプキンをショーツに装着して着用した際には、ナプキンはショーツの係止部に係止されているので、被着者が歩行したり、就寝中に動いても、ナプキンが容易にずれて脱落することを防止することができ、装着性を良好に保持することができる。
更に、ナプキンには経血や尿等の体液が人体に接した吸収面に吸収されていくが、ナプキンの本体は布で構成されているので、通気性、発汗性が良好で、肌触りも良く、装着感を快適にすることができる。
【００２５】
更にまた、ナプキンには、非通液性のパッドが介装されているので、体液は人体側に位置したパッドよりも人体側に位置する布にのみ吸収されて他への浸出が抑制される。そのため、吸収性が良好になり、パッドによる漏れ出しが抑制されていることから、体液や悪臭の洩れ出しを抑制することができ、汚れがない清潔度が維持され、爽快に使用することができるようになる。
【００２６】
また、ある程度ナプキンによる吸収が行なわれたならば、折畳まれた状態のナプキンを裏返し、あるいは、折畳み直して、体液の吸収していない布を人体側に露出させてショーツに装着し、再び、このショーツを着用することができる。そのため、１つのナプキンで、新たな布を人体側に複数回露出させて使用することができ、また、ナプキンの本体は布製なので、洗濯により再度使用が可能になり、その結果、無駄を防止することができ、省力化を図ることができる。特に、災害時などでの非常時においては、市販のナプキンの供給が不十分になることがあるが、本発明によれば、このような非常時においても対応が容易になり極めて便利になる等、優れた効果を奏する。
【発明を実施するための最良の形態】
【００２７】
以下、添付図面に基づいて本発明の実施の形態に係る生理用品について詳細に説明する。
図１乃至図９には、本発明の実施の形態に係る生理用品が示されている。この生理用品の基本的構成は、所要の長さの横幅Ｌａ及び縦幅Ｌｂを有する矩形状のナプキン１と、このナプキン１が股下部の内側に装着されるショーツ３０とからなる。
【００２８】
ナプキン１は、木綿等の布で形成されており、図１に示すように、所要の長さの横幅Ｌａ及び縦幅Ｌｂの矩形状に折畳まれる本体と、折畳まれる本体２の布間に介装され非通液性のパッド２０とを備えて構成されている。
【００２９】
ナプキン１の本体２は、図２に示すように、矩形状に形成されている。本体２の折畳まれる折線として、横幅Ｌａに対応したピッチで１若しくは２以上設けられる縦折線Ｒａと、縦幅Ｌｂに対応したピッチで１若しくは２以上設けられ縦折線Ｒａに直交する横折線Ｒｂとが備えられている。実施の形態では、図２に示すように、４本の縦折線Ｒａと、中央の１本の横折線Ｒｂとが備えられている。このナプキン１の本体２に、折線に沿う視認可能な目印３が設けられている。目印３は、折線に沿って縫い付けられた、糸で構成されている。
【００３０】
これにより、本体２には、矩形の布の外側線４の一部，縦折線Ｒａ及び横折線Ｒｂにより区画され、人体に接して体液を吸収可能な複数の吸収面５が形成される。実施の形態においては、表裏夫々１０区画の吸収面５が形成される。本体２は、折畳の仕方により、複数の吸収面５の何れか１つの吸収面５を人体に接するように露出させて装着可能になる。例えば、図３及び図４（ａ）に示すように、先に、４つの縦折線Ｒａにおいて折畳み、最後に、図４（ｂ）に示すように、１つの横折線Ｒｂにおいて折畳む。
【００３１】
また、図１乃至図４，図８及び図９に示すように、ナプキン１の本体２には、ナプキン１の折畳まれた本体２の端部を連結する連結手段１０が設けられている。この連結手段１０は、折畳まれた本体２の一端部側に設けられるオス部１１と、本体２の他端部側に設けられるメス部１２とを備えたホック１３で構成されている。実施の形態においては、横折線Ｒｂを境にして隣接する何れか１組の吸収面５において、一方の吸収面５の端部に縫合により延設された布製の取付片１４を設け、この取付片１４にホック１３のオス部１１が縫合され、他方の吸収面５の端部にホック１３のメス部１２が縫合されている。
【００３２】
ナプキン１のパッド２０は、図２及び図５に示すように、樹脂製シート２１と、樹脂製シート２１の両側に付設された吸収部材２２とから構成されている。詳しくは、このパッド２０は、一方側面に粘着剤２３が付された樹脂製シート２１及びこの樹脂製シート２１の他方側面に吸収部材２２が付設された市販されている生理用の汎用ナプキンＮを一対用い、この一対の汎用ナプキンＮの一方側面同士を粘着剤２３を介して接着させて構成されている。市販品を利用できるので、汎用性を増すことができる。
【００３３】
また、このパッド２０は、複数枚用いられている。実施の形態では、図２に示すように、１対のパッド２０が用いられ、パッド２０は、その長手方向端部同士が糸からなる索体２４で連結されている。この場合、パッド２０同士が索体２４で連結されており、ばらばらにならないので、取り扱いが容易になる。実施の形態においては、図２及び図３に示すように、横折線Ｒｂを境にして隣接する何れか１組の吸収面５において、一方の吸収面５に一方のパッド２０が付設され、他方の吸収面５に他方のパッド２０が付設される。そして、例えば、図３及び図４（ａ）に示すように、先に、４つの縦折線Ｒａにおいて、折畳むことにより、パッド２０は、折畳まれる本体２の布間に介装される。図４（ａ）に示す折畳みの状態では、４区画の吸収面５が露出しており、図４（ｂ）に示すように、最後に１つの横折線Ｒｂにおいて折畳むことにより、４区画の吸収面５の何れか１つの吸収面５を、他の吸収面５に対してパッド２０を介して非通液性の状態で、人体に接して体液を吸収可能にすることができる。尚、パッド２０の介装の仕方や、本体２の折畳みの仕方は、これに限定されるものではない。
【００３４】
ショーツ３０は、図１に示すように、前身頃片３１と、後身頃片３２とを備え、前身頃片３１及び後身頃片３２により肢が挿通される一対の挿通孔３３が形成されるとともに、一対の挿通孔３３間に股下部３４が形成されている。
このショーツ３０において、図１，図６乃至図９に示すように、股下部３４には、ナプキン１を着脱可能に係止する係止部３５が設けられている。ショーツ３０の係止部３５は、ナプキン１の折畳まれた本体２の両端部を夫々係止可能になるよう、ショーツ３０の股下部３４の長手方向前後に所定間隔離間させて一対設けられている。
【００３５】
各係止部３５は、ショーツ３０の股下部３４の長手方向に直交する方向に沿って延在するように両端がショーツ３０に縫合され、ナプキン１の端部を掛けることが可能な紐部材３６で構成されている。
各係止部３５において、紐部材３６は、平行に少なくとも２本（実施の形態では２本）設けられている。
また、紐部材３６は、ゴム紐で構成されており、その弾性力により、ナプキン１の端部をショーツ３０側に押圧可能になっている。
【００３６】
更に、図６及び図７に示すように、ショーツ３０の股下部３４には、装着されるナプキン１を覆う覆部４０が付設されている。この覆部４０は、上記ナプキン１と同様の非通液性のパッド４１と、このパッド４１を収納する袋状の布製収納部４２とを備えて構成されている。
覆部４０のパッド４１は、上記と同様に、図５に示すように、樹脂製シート２１と、樹脂製シート２１の両側に付設された吸収部材２２とから構成されている。詳しくは、このパッド４１は、一方側面に粘着剤２３が付された樹脂製シート２１及びこの樹脂製シート２１の他方側面に吸収部材２２が付設された市販されている生理用の汎用ナプキンＮを一対用い、この一対の汎用ナプキンＮの一方側面同士を粘着剤２３を介して接着させて構成されている。市販品を利用できるので、汎用性を増すことができる。
【００３７】
従って、この実施の形態に係る生理用品を使用するときは、予め、ナプキン１の本体２と、ナプキン１のパッド２０と、ショーツ３０と、ショーツ３０の覆部４０のパッド４１とを用意しておく。ナプキン１，ショーツ３０，パッド２０，４１は、夫々、複数用意しておき、いずれかを使用するようにすると良い。そして、図６及び図７に示すように、ショーツ３０においては、予め、覆部４０のパッド４１を、覆部４０の袋状の収納部４２に収納しておく。
【００３８】
次に、図２及び図３（ａ）に示すように、ナプキン１の本体２を広げ、この本体２の、例えば、横折線Ｒｂを境にして隣接する何れか１組の吸収面５において、一方の吸収面５に一方のパッド２０を付設し、他方の吸収面５に他方のパッド２０を付設する。この状態で、図３（ｂ）及び図４（ａ）に示すように、４つの縦折線Ｒａにおいて折畳む。この場合、折線には目印３が付されているので、折り畳みが容易になる。図４（ａ）に示すように、この折畳みの状態では、４区画の吸収面５が露出しており、図４（ｂ）に示すように、最後に１つの横折線Ｒｂにおいて折畳む。これにより、パッド２０は、折畳まれる本体２の布間に介装されるとともに、図４（ｂ）に示すように、何れか２つの吸収面５が表裏に露出する。
【００３９】
それから、図１に示すように、このナプキン１をショーツ３０に装着する。この際は、先ず、図８及び図９に示すように、ナプキン１の本体２の横折線Ｒｂにより折畳まれた端部１ａを、一方の係止部３５（Ｉ）の外側の紐部材３６（Ａ）に掛けるとともに、内側の紐部材３６（Ｂ）の下側を通す。これにより、ナプキン１の本体２の横折線Ｒｂにより折畳まれた端部１ａが、外側の紐部材３６（Ａ）に掛け止めされるとともに、内側の紐部材３６（Ｂ）によりショーツ３０側に押えられる。
【００４０】
また、ナプキン１の本体２の横折線Ｒｂにより折畳まれた端部１ａとは反対側の開放した端部１ｂを、他方の係止部３５（ＩＩ）の内側の紐部材３６（Ｂ）の下側を通し、この開放した端部１ｂで内側の紐部材３６（Ａ）を挟み、連結手段１０のホック１３において、メス部１２にオス部１１を係合して止める。簡易な機構で連結を行なうことができ操作性も良くなる。これにより、ナプキン１の本体２の横折線Ｒｂにより折畳まれた端部１ａとは反対側の開放した端部１ｂが、連結手段１０を介して外側の紐部材３６（Ａ）に掛け止めされるとともに、内側の紐部材３６（Ｂ）によりショーツ３０側に押えられる。連結手段１０により、ナプキン１の端部を連結するので、ショーツ３０への係止をより確実にすることができる。
【００４１】
これにより、図４（ａ）に示す４区画の吸収面５の何れか１つの吸収面５（例えばＸ１）が、他の吸収面５に対してパッド２０を介して非通液性の状態で、人体に接するように露出させて装着される。この場合、ナプキン１を折畳んで、紐部材３６に係止し、ホック１３をかけるだけでナプキン１をショーツ３０に装着できるので、装着が簡易であり、取り扱いも容易になる。
【００４２】
そして、この状態で、ショーツ３０を着用する。この場合、図８及び図９に示すように、ナプキン１の両端部１ａ，１ｂは、係止部３５の外側の紐部材３６（Ａ）に掛け止めされ、且つ、内側の紐部材３６（Ｂ）によってショーツ３０側に押えられているので、保持が確実になっている。また、紐部材３６はゴム紐なので、その弾性により、確実にショーツ３０側に押えられ、より一層保持が確実になっている。そのため、被着者が歩行したり、就寝中に動いても、ナプキン１が容易にずれて脱落することが防止され、装着性が良好に保持される。
【００４３】
そして、ナプキン１には経血や尿等の体液が人体に接した吸収面５に吸収されていく。この場合、ナプキン１の本体２は布で構成されているので、通気性、発汗性が良好で、肌触りも良く、装着感が快適になる。
また、ナプキン１には、非通液性のパッド２０が介装されているので、体液はパッドの樹脂製シート２１により浸出が阻止され、そのため、体液は人体側に位置したパッド２０よりも人体側に位置する布にのみ吸収されて他への浸出が抑制される。更に、パッド２０には、吸収部材２２が設けられているので、布で吸収しきれなかった体液はこの吸収部材２２でも吸収され、この点でも、他への浸出が抑制される。
【００４４】
更にまた、仮に体液が漏れ出るようなことがあっても、人体側に位置したパッド２０よりも外側の本体２の布に吸収されるとともに、ナプキン１はショーツ３０の覆部４０で覆われているので、覆部４０のパッド４１でも外部への浸出が防止される。しかも、パッド４１には、吸収部材２２が設けられているので、漏れ出ようとした体液はこの吸収部材２２でも吸収され、この点でも、他への浸出が確実に抑制される。そのため、吸収性が良好になり、二重，三重に漏れ出しが抑制されていることから、体液や悪臭の洩れ出しが確実に抑制され、汚れがない清潔度が維持され、爽快に使用することができるようになる。
【００４５】
次に、１つの吸収面５（図４中（Ｘ１）での吸収が行なわれたならば、ホック１３を外して、ナプキン１をショーツ３０から外す。この場合、ホック１３を外して、紐部材３６からナプキン１を抜き取るだけでよいので、取外しが容易に行われる、そして、例えば、図４（ｂ）に示す折畳まれた状態のナプキン１を裏返し、上記と同様に、他の２つ目の吸収面５（Ｘ２）を人体側に露出させてショーツ３０に装着し、再び、このショーツ３０を着用する。この場合も、上記と同様に、被着者が歩行したり、就寝中に動いても、ナプキン１が容易にずれて脱落することが防止され、装着性が良好に保持される。また、吸収性も良好であり、二重，三重に漏れ出しが抑制されていることから、体液や悪臭の洩れ出しが確実に抑制され、汚れがない清潔度が維持され、爽快に使用することができるようになる。
【００４６】
次にまた、この２つ目の吸収面５（Ｘ２）での吸収が行なわれたならば、ホック１３を外して、ナプキン１をショーツ３０から外す。そして、例えば、折畳まれた状態のナプキン１を、反対に折り返し（図４（ｂ）中Ｑ方向）、新たな別の吸収面５（図４（ａ）中５（Ｘ３））を人体側に露出させてショーツ３０に装着し、再び、このショーツ３０を着用する。この場合も、上記と同様に、被着者が歩行したり、就寝中に動いても、ナプキン１が容易にずれて脱落することが防止され、装着性が良好に保持される。また、吸収性も良好であり、二重，三重に漏れ出しが抑制されていることから、体液や悪臭の洩れ出しが確実に抑制され、汚れがない清潔度が維持され、爽快に使用することができるようになる。
【００４７】
そしてまた、この３つ目の吸収面５（Ｘ３）での吸収が行なわれたならば、ホック１３を外して、ナプキン１をショーツ３０から外す。そして、例えば、折畳まれた状態のナプキン１を裏返し、新たな別の４つ目の吸収面５（Ｘ４）を人体側に露出させてショーツ３０に装着し、再び、このショーツ３０を着用する。この場合も、上記と同様に、被着者が歩行したり、就寝中に動いても、ナプキン１が容易にずれて脱落することが防止され、装着性が良好に保持される。また、吸収性も良好であり、二重，三重に漏れ出しが抑制されていることから、体液や悪臭の洩れ出しが確実に抑制され、汚れがない清潔度が維持され、爽快に使用することができるようになる。
【００４８】
このように、１つのナプキン１で、４つの新たな吸収面５（Ｘ１，Ｘ２，Ｘ３，Ｘ４）を露出させて使用することができるようになる。そして、複数回使用したならば、新たなナプキン１を用いる。必要に応じて、パッド２０，４１も変えると良い。ナプキン１の本体２は、布製なので、洗濯により再度使用が可能になる。そのため、無駄が防止され、省力化が図られる。特に、災害時などでの非常時においては、市販のナプキンの供給が不十分になることがあるが、本実施の形態に係る生理用品においては、対応が容易になり極めて便利になる。
【００４９】
尚、ナプキン１の新たな吸収面５の使用に際しては、まだ吸収に余裕があれば、４つの吸収面５に限定されず、別に本体２を折りたたみ直して使用することも可能になる。また、控のナプキン１に余裕があれば、必ずしも、４つの吸収面５（Ｘ１，Ｘ２，Ｘ３，Ｘ４）の全てを利用しなくても良く、新たなナプキン１に交換するようにしても良く、適宜に使用してよいことはもちろんである。 
【００５０】
尚また、上記実施の形態において、ナプキン１の本体２において、吸収面５の区画は表裏夫々１０区画にしたが、必ずしもこれに限定されるものではなく、例えば、横折線Ｒｂを複数設けて、１０区画を超える区画を設けるようにしてよい。この場合には、矩形の布の外側線４の一部，縦折線Ｒａ及び横折線Ｒｂにより区画される吸収面５の他に、縦折線Ｒａ及び横折線Ｒｂのみにより区画される吸収面５が生じる。
また、パッド２０の数も、上述した２つに限定されるものではなく、３以上設けて、１つのナプキン１で上述した４回以上に使用回数を増すようにしても良く、適宜変更してよいことは勿論である。また、連結手段１０も、上述したホック１３に限定されるものではなく、例えば、工業用ファスナを用いるようにしても良く、適宜変更して差支えない。
【図面の簡単な説明】
【００５１】
【図１】本発明の実施の形態に係る生理用品を示す分解斜視図である。
【図２】本発明の実施の形態に係る生理用品のナプキンの構成を示す分解斜視図である。
【図３】本発明の実施の形態に係る生理用品のナプキンの折畳むときの状態を示す図であり、（ａ）はパッドを付設した状態を示す斜視図、（ｂ）は本体の一部の縦折線を折畳んだ状態を示す斜視図である。
【図４】本発明の実施の形態に係る生理用品のナプキンの折畳むときの状態を示す図であり、（ａ）は本体の全ての縦折線を折畳んだ状態を示す斜視図、（ｂ）は最後に横折線を折畳んだ状態を示す斜視図である。
【図５】本発明の実施の形態に係る生理用品のパッドを示し、（ａ）はパッドを作成するときの状態を示す図、（ｂ）は図５（ａ）中Ａ−Ａ線断面図である。
【図６】本発明の実施の形態に係る生理用品のショーツの構成を示す要部斜視図である。
【図７】本発明の実施の形態に係る生理用品のショーツの構成を示す図６中Ｂ−Ｂ線断面図である。
【図８】本発明の実施の形態に係る生理用品において、ショーツにナプキンを装着した状態を示す要部斜視図である。
【図９】本発明の実施の形態に係る生理用品において、ショーツにナプキンを装着した状態を示す要部断面図である。
【図１０】従来の生理用品の一例を示す要部図である。
【符号の説明】
【００５２】
１  ナプキン
１ａ  端部
１ｂ  端部
Ｌａ  横幅
Ｌｂ  縦幅
２  本体
Ｒａ  縦折線
Ｒｂ  横折線
３  目印
４  外側線
５  吸収面
１０  連結手段
１３  ホック
２０  パッド
２１  樹脂製シート
２２  吸収部材
２３  粘着剤
Ｎ  汎用ナプキン
２４  索体
３０  ショーツ
３１  前身頃片
３２  後身頃片
３４  股下部
３５  係止部
３６  紐部材
４０  覆部
４１  パッド
４２  収納部
【図１】
2008048764.tif 000003
【図２】
2008048764.tif 000004
【図３】
2008048764.tif 000005
【図４】
2008048764.tif 000006
【図５】
2008048764.tif 000007
【図６】
2008048764.tif 000008
【図７】
2008048764.tif 000009
【図８】
2008048764.tif 000010
【図９】
2008048764.tif 000011
【図１０】
2008048764.tif 000012